(57)【要約】  【課題】  工程の簡略化を確保しつつ、包装体に用いられる部材の使用量削減を図った袋口折込装置及び包装体を提供する。  【解決手段】  積み重ねられた複数の蓋体を収納した包装体５００は、袋口の開口面積の１／２乃至３／４の範囲内の割合が閉鎖されるように、袋口近傍の一部が袋口から露見する蓋体の上面に折り込まれる（第１折込）。更に、包装体５００は、この第１折込において形成される包装体５００の舌片部の一方端が折り込まれ（第２折込）、糊５０４が塗布された後に、包装体５００の舌片部の他方端が折り込まれることにより（第３折込）、袋口が閉鎖される。【選択図】  図１２
2005343513.tif 000002
【特許請求の範囲】
【請求項１】
積み重ねられた複数の丸型板状物が収納される筒状の包装体の袋口の折込折り込む袋口折込装置であって、
前記袋口の開口面積の１／２乃至３／４の範囲内の割合が閉鎖されるように、前記包装体の袋口近傍の一部を前記袋口から露見する丸型板状物の上面に折り込む第１の折込手段と、
前記第１の折込手段による折り込みにより形成される包装体の舌片部の一方端を前記第１の折込手段により折り込まれた包装体の袋口近傍の一部の上面に折り込む第２の折込手段と、
前記第１の折込手段による折り込みにより形成される包装体の舌片部の他方端を前記第１の折込手段により折り込まれた包装体の袋口近傍の一部の上面及び前記第２の折込手段により折り込まれた包装体の舌片部の一方端の上面の少なくともいずれかに折り込む第３の折込手段とを有することを特徴とする袋口折込装置。
【請求項２】
前記第１の折込手段により折り込まれた包装体の袋口近傍の一部の上面及び前記第２の折込手段により折り込まれた包装体の舌片部の一方端の上面の少なくともいずれかに接着剤を塗布する塗布手段を有し、
前記第３の折込手段は、前記包装体の舌片部の他方端を前記接着剤が塗布された前記第１の折込手段により折り込まれた包装体の袋口近傍の一部の上面及び前記第２の折込手段により折り込まれた包装体の舌片部の一方端の上面の少なくともいずれかに折り込むことを特徴とする請求項１に記載の袋口折込装置。
【請求項３】
前記包装体の舌片部の他方端を前記接着剤が塗布された前記第１の折込手段により折り込まれた包装体の袋口近傍の一部の上面及び前記第２の折込手段により折り込まれた包装体の舌片部の一方端の上面の少なくともいずれかに押圧する第１の押圧手段を有することを特徴とする請求項２に記載の袋口折込装置。
【請求項４】
前記包装体を拘束する拘束手段を有し、
前記第１の折込手段は、前記拘束手段により包装体が拘束された状態で、前記包装体の袋口近傍の一部を折り込むことを特徴とする請求項１乃至３のいずれかに記載の袋口折込装置。
【請求項５】
前記包装体内に前記袋口から挿入され、前記袋口から露見する丸型板状物の上面を押圧する第２の押圧手段を有することを特徴とする請求項１乃至４のいずれかに記載の袋口折込装置。
【請求項６】
前記第１及び第２の折込手段は、前記袋口から露見する丸型板状物の外縁部に沿った折り目を前記包装体に形成することを特徴とする請求項１乃至５のいずれかに記載の袋口折込装置。
【請求項７】
積み重ねられた複数の丸型板状物が収納される筒状の包装体であって、
前記包装体の袋口の開口面積の１／２乃至３／４の範囲内の割合が閉鎖されるように、前記袋口近傍の一部が前記袋口から露見する丸型板状物の上面に折り込まれて形成される第１の折込部と、
前記第１の折込部とともに形成される舌片部の一方端が前記第１の折込部の上面に折り込まれて形成される第２の折込部と、
前記舌片部の他方端を前記第１の折込部の上面及び前記第２の折込部の上面の少なくともいずれかに折り込まれて形成される第３の折込部とを有することを特徴とする包装体。
【請求項８】
積み重ねられた複数の丸型板状物が収納される筒状の包装体の袋口の折込折り込む包装体の袋口折込方法であって、
前記袋口の開口面積の１／２乃至３／４の範囲内の割合が閉鎖されるように、前記包装体の袋口近傍の一部を前記袋口から露見する丸型板状物の上面に折り込む第１の折込ステップと、
前記第１の折込ステップによる折り込みにより形成される包装体の舌片部の一方端を前記第１の折込ステップにより折り込まれた包装体の袋口近傍の一部の上面に折り込む第２の折込ステップと、
前記第１の折込ステップによる折り込みにより形成される包装体の舌片部の他方端を前記第１の折込ステップにより折り込まれた包装体の袋口近傍の一部の上面及び前記第２の折込ステップにより折り込まれた包装体の舌片部の一方端の上面の少なくともいずれかに折り込む第３の折込ステップとを有することを特徴とする袋口折込方法。
【発明の詳細な説明】
【技術分野】
【０００１】
本発明は、積み重ねられた複数の丸型板状物が収納される筒状の包装体の袋口を折り込む袋口折込装置、前記袋口折込装置により生産される包装体、及び、前記包装体の袋口折込方法に関する。
【背景技術】
【０００２】
缶蓋をはじめとする丸型板状物である蓋体は、製造後の輸送における利便性の向上や衛生を確保すべく、筒状の包装体に収納される。このような包装体には、袋口から複数の蓋体が積み重ねられるように収納され、更に、袋口が折り込まれて閉鎖される。このような袋口の折り込みが作業者により行われる場合には、きわめて非効率であり、コストの増加をもたらす。このため、袋口の折り込みを自動的に行う装置が提供されている（例えば、特許文献１乃至３参照）。
【特許文献１】特公平５−４３５６７号公報
【特許文献２】特開平７−１７２４１１号公報
【特許文献３】特開平１０−１９４２０５号公報
【発明の開示】
【発明が解決しようとする課題】
【０００３】
しかしながら、上述した従来の装置では、包装体の袋口近傍の多くの部分が折り込みのために使用されるため、包装体に用いられる紙等の部材の使用量が増大する。また、複雑な折り込み方が採用されることにより、工程が煩雑になる。
【０００４】
本発明は従来の問題を解決するためになされたもので、工程の簡略化を確保しつつ、包装体に用いられる部材の使用量削減を図った袋口折込装置及び包装体を提供することを目的とする。
【課題を解決するための手段】
【０００５】
本発明の袋口折込装置は、積み重ねられた複数の丸型板状物が収納される筒状の包装体の袋口を折り込むものであって、前記袋口の開口面積の１／２乃至３／４の範囲内の割合が閉鎖されるように、前記包装体の袋口近傍の一部を前記袋口から露見する丸型板状物の上面に折り込む第１の折込手段と、前記第１の折込手段による折り込みにより形成される包装体の舌片部の一方端を前記第１の折込手段により折り込まれた包装体の袋口近傍の一部の上面に折り込む第２の折込手段と、前記第１の折込手段による折り込みにより形成される包装体の舌片部の他方端を前記第１の折込手段により折り込まれた包装体の袋口近傍の一部の上面及び前記第２の折込手段により折り込まれた包装体の舌片部の一方端の上面の少なくともいずれかに折り込む第３の折込手段とを有する構成となる。
【０００６】
この構成により、最初の折込工程において、袋口の開口面積の１／２乃至３／４の範囲内の割合が閉鎖されるように、包装体の袋口近傍の一部が折り込まれ、舌片部が形成される。袋口の開口面積の１／２乃至３／４の範囲内の割合が閉鎖されるように、包装体の袋口近傍の一部が折り込まれることにより、形成される舌片部は、袋口を閉鎖するのに必要な最小限の面積を有することになる。更に、その後の折込工程において、舌片部の一方端と他方端とが折り込まれて袋口が閉鎖される。従って、袋口の閉鎖を確保しつつ、包装体における折り込み部分の部材の使用量を抑えることが可能となる。また、複数の丸型板状物が収納される筒状の包装体の袋口は、３つの工程を経て折り込まれる。従って、工程が簡略化される。
【０００７】
また、本発明の袋口折込装置は、前記第１の折込手段により折り込まれた包装体の袋口近傍の一部の上面及び前記第２の折込手段により折り込まれた包装体の舌片部の一方端の上面の少なくともいずれかに接着剤を塗布する塗布手段を有し、前記第３の折込手段が、前記包装体の舌片部の他方端を前記接着剤が塗布された前記第１の折込手段により折り込まれた包装体の袋口近傍の一部の上面及び前記第２の折込手段により折り込まれた包装体の舌片部の一方端の上面の少なくともいずれかに折り込む構成となる。
【０００８】
また、本発明の袋口折込装置は、前記包装体の舌片部の他方端を前記接着剤が塗布された前記第１の折込手段により折り込まれた包装体の袋口近傍の一部の上面及び前記第２の折込手段により折り込まれた包装体の舌片部の一方端の上面の少なくともいずれかに押圧する第１の押圧手段を有する構成となる。
【０００９】
また、本発明の袋口折込装置は、前記包装体を拘束する拘束手段を有し、前記第１の折込手段が、前記拘束手段により包装体が拘束された状態で、前記包装体の袋口近傍の一部を折り込む構成となる。
【００１０】
また、本発明の袋口折込装置は、前記包装体内に前記袋口から挿入され、前記袋口から露見する丸型板状物の上面を押圧する第２の押圧手段を有する構成となる。
【００１１】
また、本発明の袋口折込装置は、前記第１及び第２の折込手段が、前記袋口から露見する丸型板状物の外縁部に沿った折り目を前記包装体に形成する構成となる。
【００１２】
また、本発明の包装体は、積み重ねられた複数の丸型板状物が収納される筒状のものであって、前記包装体の袋口の開口面積の１／２乃至３／４の範囲内の割合が閉鎖されるように、前記袋口近傍の一部が前記袋口から露見する丸型板状物の上面に折り込まれて形成される第１の折込部と、前記第１の折込部とともに形成される舌片部の一方端が前記第１の折込部の上面に折り込まれて形成される第２の折込部と、前記舌片部の他方端を前記第１の折込部の上面及び前記第２の折込部の上面の少なくともいずれかに折り込まれて形成される第３の折込部とを有する構成となる。
【００１３】
また、本発明の包装体の袋口折込方法は、積み重ねられた複数の丸型板状物が収納される筒状の包装体の袋口の折込折り込むものであって、前記袋口の開口面積の１／２乃至３／４の範囲内の割合が閉鎖されるように、前記包装体の袋口近傍の一部を前記袋口から露見する丸型板状物の上面に折り込む第１の折込ステップと、前記第１の折込ステップによる折り込みにより形成される包装体の舌片部の一方端を前記第１の折込ステップにより折り込まれた包装体の袋口近傍の一部の上面に折り込む第２の折込ステップと、前記第１の折込ステップによる折り込みにより形成される包装体の舌片部の他方端を前記第１の折込ステップにより折り込まれた包装体の袋口近傍の一部の上面及び前記第２の折込ステップにより折り込まれた包装体の舌片部の一方端の上面の少なくともいずれかに折り込む第３の折込ステップとを有する構成となる。
【発明の効果】
【００１４】
本発明は、最初の折込工程において、袋口の開口面積の１／２乃至３／４の範囲内の割合が閉鎖されるように、包装体の袋口近傍の一部が折り込まれるため、包装体における折り込み部分の部材の使用量を抑えることが可能となる。複数の丸型板状物が収納される筒状の包装体の袋口は、３つの工程を経て折り込まれるため、工程が簡略化される。
【発明を実施するための最良の形態】
【００１５】
本発明の実施の形態の袋口折込装置は、積み重ねられた複数の蓋体が収納される包装体の袋口を折り込むものである。以下、この袋口折込装置について、図面を用いて説明する。
【００１６】
袋口折込装置における包装体の拘束機構の上面図を図１に、正面図を図２に、側面図を図３にそれぞれ示す。これらの図に示すように、袋口折込装置における包装体の拘束機構は、第１カバーホルダ１０２、第２カバーホルダ１０８、サイドホルダ１０４、１０６、１１０及び１１２、駆動部１１４、シャフト１１６、１１８及び１２０により構成される。
【００１７】
駆動部１１４は、シャフト１１６、１１８及び１２０を支持する。シャフト１１６は、第１カバーホルダ１０２及び第２カバーホルダ１０８を回転自在に支持する。同様に、シャフト１１８は、サイドホルダ１０４及び１１０を回転自在に支持し、シャフト１２０は、サイドホルダ１０６及び１１２を回転自在に支持する。
【００１８】
駆動部１１４の駆動により、第１カバーホルダ１０２及び第２カバーホルダ１０８は、シャフト１１６を回転軸として回転して、包装体を拘束及び解放する。同様に、駆動部１１４の移動によりサイドホルダ１０４及び１１０は、シャフト１１８を回転軸として回転して、包装体を拘束及び解放し、サイドホルダ１０６及び１１２は、シャフト１２０を回転軸として回転して、包装体を拘束及び解放する。
【００１９】
また、駆動部１１４は、図１及び図２における左右方向に移動可能である。この駆動部１１４の移動により、第１カバーホルダ１０２、サイドホルダ１０４及び１０６は、第１ポジション１０と第２ポジション２０との間を間欠的に往復移動して、第１ポジション１０に配置された包装体を順次第２ポジション２０へ搬送する。同様に、駆動部１１４の移動により、第２カバーホルダ１０８、サイドホルダ１１０及び１１２は、第２ポジション２００と第３ポジション３０との間を間欠的に往復移動して、第１ポジション１０に配置された包装体を順次第２ポジション２０へ搬送する。
【００２０】
第１ポジション１０における折込動作を説明する。第１ポジション１０における袋口折込装置の折込機構の構成及び動作を図４に示す。図４（ａ）及び（ｂ）に示すように、積み重ねられた蓋体６００を収納する筒状の包装体５００が第１ポジション１０に配置されると、袋詰めフィンガ１５０は、蓋体６００を包装体５００の内部へ向けて押圧する。これにより、図４（ｂ）に示すように、蓋体６００は、完全に包装体５００へ収容され、包装体５００の袋口近傍が折込可能となる。また、袋詰めフィンガ１５０の端部が包装体５００の袋口から挿入されることにより、袋口の開口状態が維持される。
【００２１】
次に、図４（ｃ）に示すように、第１カバーホルダ１０２がシャフト１１６を回転軸として回転することにより、包装体５００の袋口近傍を拘束するとともに、この袋口近傍の一部を折り込む（予備折込）。これにより、包装体５００は、図１２（ａ）に示す状態から図１２（ｂ）に示す状態となる。なお、予備折込は必ずしも行われる必要はなく、省略しても良い。予備折込が省略される場合には、第１カバーホルダ１０２は、包装体５００の袋口近傍の拘束のみを行う。
【００２２】
上述した第１カバーホルダ１０２による拘束及び予備折込と同時に、サイドホルダ１０４は、シャフト１１８を回転軸として回転して包装体５００を拘束し、サイドホルダ１０６は、シャフト１２０を回転軸として回転して包装体５００を拘束する。
【００２３】
このようにして予備折込が行われた包装体５００は、第１カバーホルダ１０２、サイドホルダ１０４及び１０６によって拘束された状態で、第１ポジション１０から第２ポジション２０へ搬送される。
【００２４】
第２ポジション２０及び第３ポジション３０における袋口折込装置の折込機構の構成を図５に示す。図５（ａ）の側面図及び（ｂ）の正面図に示すように、第２ポジション２０における折込機構は、ホールドカップ２０２、シリンダ２０３、シャフト２０４、シェルサポート２０６、シリンダ２０７、シャフト２０８、ホールドスプリング２１０、シリンダ２１１及びシャフト２１２により構成される。一方、第３ポジション３０における折込機構は、ナイフ３０２、ブロックプレート３０４、シャフト３０６、折り曲げブロック３０８、シリンダ３０９、シャフト３１０及び押え付けシリンダ３２０により構成される。
【００２５】
第２ポジション２０における折込動作を説明する。第２ポジション２０における袋口折込装置の折込機構の動作を図６及び図７に示す。図６（ａ）及び図７（ａ）に示すように、第１カバーホルダ１０２によって予備折込が行われた包装体５００が第２ポジション２０に搬送される。
【００２６】
次に、図６（ｂ）及び図７（ｂ）に示すように、シリンダ２０７（図６では図示せず）の作動によりシャフト２０８が伸張し、このシャフト２０８の先端に取り付けられたシェルサポート２０６が下方に移動し、包装体５００を押圧して拘束する。
【００２７】
その後、図６（ｃ）及び図７（ｂ）に示すように、シリンダ２０３の作動によりシャフト２０４が伸張し、このシャフト２０４の先端に取り付けられたホールドカップ２０２が上方に移動し、包装体５００の袋口の開口面積の１／２乃至３／４の範囲内の割合が閉鎖されるように、包装体５００の袋口近傍の一部を、袋口から露見する蓋体６００、換言すれば、積み重ねられた蓋体６００の内、袋口に最も近い蓋体６００の上面に折り込む（第１折込）。この第１折込により、包装体５００には、袋口から露見する蓋体の外縁部に沿った折り目が形成される。これにより、包装体５００は、図１２（ｃ）に示す状態となる。
【００２８】
更に、図６（ｄ）に示すように、シリンダ２１１の作動によりシャフト２１２が伸張し、このシャフト２１２の先端に取り付けられたホールドスプリング２１０が下方に移動し、包装体５００を拘束する。
【００２９】
そして、図６（ｅ）に示すように、シリンダ２０３の作動によりシャフト２０４が縮退し、ホールドカップ２０２が下方に移動する。更に、第１カバーホルダ１０２は、包装体５００を解放し、第２ポジション２０から第１ポジション１０へ移動する。同様に、サイドホルダ１０４及び１０６（図６では図示せず）も包装体５００を解放し、第２ポジション２０から第１ポジション１０へ移動する。これら第１カバーホルダ１０２、サイドホルダ１０４及び１０６の第２ポジション２０から第１ポジション１０への移動に連動して、第２カバーホルダ１０８、サイドホルダ１１０及び１１２（図６では図示せず）は、第３ポジション３０から第２ポジション２０へ移動する。そして、第２カバーホルダ１０８は、包装体５００の袋口近傍を、第１折込の状態を維持しつつ拘束する。同様に、サイドホルダ１１０及び１１２も包装体５００を拘束する。第２カバーホルダ１０８による包装体５００の拘束後、シリンダ２０７の作動によりシャフト２０８が縮退し、シェルサポート２０６が上方に移動して包装体５００を解放する。また、シリンダ２１１の作動によりシャフト２１０が縮退し、ホールドスプリング２１０が上方に移動して包装体５００を解放する。このようにして第１折込が行われた包装体５００は、第２カバーホルダ１０８、サイドホルダ１１０及び１１２によって拘束された状態で、第２ポジション２０から第３ポジション３０へ搬送される。
【００３０】
第３ポジション３０における折込動作を説明する。第３ポジション３０における袋口折込装置の折込機構の第１の動作を図８に示す。図８（ａ）に示すように、第２カバーホルダ１０８によって第１折込の状態が維持された包装体５００が第３ポジション２０に搬送される。
【００３１】
次に、図８（ｂ）に示すように、ナイフ３０２がシャフト３０６を回転軸として回転して包装体５００の袋口近傍を拘束する。更に、ブロックプレート３０４がシャフト３０６を回転軸として回転して、第１折込において包装体５００の袋口近傍に形成された舌片部の一方端を、第１折込において折り込まれた包装体５００の袋口近傍の一部の上面に折り込む（第２折込）。この第２折込により、包装体５００には、袋口から露見する蓋体の外縁部に沿った折り目が形成される。これにより、包装体５００は、図１２（ｄ）に示す状態となる。
【００３２】
更に、図８（ｃ）に示すように、ブロックプレート３０４がシャフト３０６を回転軸として回転して、第２折込を終了する。
【００３３】
その後、第１折込において折り込まれた包装体５００の袋口近傍の一部の上面及び第の折込において折り込まれた包装体５００の舌片部の一方端の上面の少なくともいずれか（以下、「塗布面」と称する）に糊が塗布される。
【００３４】
第３ポジション３０における袋口折込装置の糊塗布機構の構成及び動作を図９に示す。図９（ａ）は上面図、図９（ｂ）及び図９（ｃ）は側面図である。図９（ａ）及び（ｂ）に示すように、メルトガン３１２は、その射出部３１３が包装体５００の袋口を向くように配置される。更に、図９（ｃ）に示すように、射出部３１３が包装体５００の塗布面に対向するように、シャフト３１４が伸張し、更に、射出部３１３が包装体５００の塗布面に接近するように、シャフト３１６が伸張する。このようにして射出部３１３の位置合わせが行われた後、射出部３１３は包装体５００の塗布面に対して糊を射出する。これにより、包装体５００は、図１２（ｅ）に示すように、糊５０４が塗布された状態となる。
【００３５】
第３ポジション３０における袋口折込装置の折込機構の第２の動作を図１０に示す。包装体５００の塗布面に糊が塗布された後、シリンダ３０９の作動によりシャフト３１０が伸張する。そして、このシャフト３１０の先端に取り付けられた折り曲げブロック３０８が下方に移動し、第１折込において形成される包装体５００の袋口近傍に形成された舌片部の他方端を、第１の折込において折り込まれた包装体５００の袋口近傍の一部の上面及び第２折込において折り込まれた包装体５００の舌片部の一方端の上面の少なくともいずれかに折り込む（第３折込）。
【００３６】
更に、第３折込において折り込まれた包装体５００の舌片部の他方端を塗布面に押圧して接着する。第３ポジション３０における袋口折込装置の接着機構の構成及び動作を図１１に示す。図１１（ａ）に示すように、折り曲げブロック３０８によって、包装体５００の舌片部の他方端が折り込まれた後、図１１（ｂ）に示すように、押え付けシリンダ３２０が作動し、第３折込において折り込まれた包装体５００の舌片部の他方端を塗布面に押圧して接着する。これにより、包装体５００は、図１２（ｆ）に示すように、袋口が閉鎖された状態となる。
【００３７】
このように、本実施形態の袋口折込装置は、積み重ねられた複数の蓋体６００が収納される筒状の包装体５００の袋口を折り込む際に、袋口の開口面積の１／２乃至３／４の範囲内の割合が閉鎖されるように、包装体５００の袋口近傍の一部を袋口から露見する蓋体６００の上面に折り込み（第１折込）、この第１折込において形成される包装体５００の舌片部の一方端を第１折込において折り込まれた包装体５００の袋口近傍の一部の上面に折り込み（第２折込）、更に、第１折込において形成される包装体５００の舌片部の他方端を第１折込において折り込まれた包装体５００の袋口近傍の一部の上面及び第２折込において折り込まれた包装体５００の舌片部の一方端の上面の少なくともいずれかに折り込んで、袋口を閉鎖する。第１折込において、袋口の開口面積の１／２乃至３／４の範囲内の割合が閉鎖されるように、包装体５００の袋口近傍の一部が折り込まれることにより、形成される舌片部は、袋口を閉鎖するのに必要な最小限の面積を有することになる。更に、その後の第２折込及び第３折込において、舌片部の一方端と他方端とが折り込まれて袋口が閉鎖される。従って、袋口の閉鎖を確保しつつ、包装体５００における折り込み部分の部材の使用量を抑えることが可能となる。また、複数の蓋体５００が収納される筒状の包装体の袋口は、最小限、三度の折込工程で閉鎖されるため、工程が簡略化される。
【産業上の利用可能性】
【００３８】
以上のように、本発明にかかる袋口折込装置及び包装体は、包装体における折り込み部分の部材の使用量を抑えるとともに、折込工程が簡略化されるという効果を有し、袋口折込装置及び包装体として有用である。
【図面の簡単な説明】
【００３９】
【図１】袋口折込装置における包装体の拘束機構の上面図である。
【図２】袋口折込装置における包装体の拘束機構の正面図である。
【図３】袋口折込装置における包装体の拘束機構の側面図である。
【図４】第１ポジションにおける袋口折込装置の折込機構の構成及び動作を示す図である。
【図５】第２ポジション及び第３ポジションにおける袋口折込装置の折込機構の構成を示す図である。
【図６】第２ポジションにおける袋口折込装置の折込機構の動作を示す第１の図である。
【図７】第２ポジションにおける袋口折込装置の折込機構の動作を示す第２の図である。
【図８】第３ポジションにおける袋口折込装置の折込機構の第１の動作を示す図である。
【図９】第３ポジションにおける袋口折込装置の糊塗布機構の構成及び動作を示す図である。
【図１０】第３ポジションにおける袋口折込装置の折込機構の第２の動作を示す図である。
【図１１】第３ポジションにおける袋口折込装置の接着機構の構成及び動作を示す図である。
【図１２】包装体の折込工程を示す図である。
【符号の説明】
【００４０】
１０２  第１カバーホルダ
１０４、１０６、１１０、１１２  サイドホルダ
１０８  第２カバーホルダ
１１４  駆動部
１１６、１１８、１２０、２０４，２０８、２１２、３０６、３１０、３１４、３１６  シャフト
１５０  袋詰めフィンガ
２０２  ホールドカップ
２０３、２０７、２１１、３０９  シリンダ
２０６  シェルサポート
２１０  ホールドスプリング
３０２  ナイフ
３０４  ブロックプレート
３０８  折り曲げブロック
３２０  押え付けシリンダ
３１２  メルトガン
３１３  射出部
５００  包装体
５０４  糊
６００  蓋体
【図１】
2005343513.tif 000003
【図２】
2005343513.tif 000004
【図３】
2005343513.tif 000005
【図４】
2005343513.tif 000006
【図５】
2005343513.tif 000007
【図６】
2005343513.tif 000008
【図７】
2005343513.tif 000009
【図８】
2005343513.tif 000010
【図９】
2005343513.tif 000011
【図１０】
2005343513.tif 000012
【図１１】
2005343513.tif 000013
【図１２】
2005343513.tif 000014